(57)【要約】フューザローラ（２２）を破損せずに迅速に設置し除去できる下のスカイブプレート（３５）を含む、電子写真装置のフューザ部を開示すること。スカイブプレートは、装置が動作する間、紙をフューザローラからはがす複数のスカイブを担持する。スカイブプレートを設置するには、前方のラッチピン（４４）はフューザ部のガイドトラック（５０）内にあり、プレートを実質的に水平の位置に維持しながらプレートを前の下の方に引き出し、これによって、設置の間、鋭いスカイブがフューザローラに触れないようにする。スカイブがフューザローラに近づくと、スカイブプレート上の後方のラッチピン（４５）がまずフューザ部にラッチされ、その後、前方のラッチピンがフューザ部にラッチされて、スカイブはフューザローラ上に乗る。スカイブプレートを除去するには、この手順を逆にする。【選択図】図４
2004510205.tif 000002
【特許請求の範囲】
【請求項１】
電子写真装置用のフューザ部であって、前記フューザ部は、
２つの側面を有する筐体と、
前記筐体内に回転可能に装着されたフューザローラと、
スカイブプレートであって、
前面、後面、および２つの側面を有するベースプレートと、
前記ベースプレートの前記前面に渡って間隔を開けて装着された複数のスカイブであって、前記スカイブプレートが前記筐体内の動作可能な位置にある時に前記スカイブは前記フューザローラの上に乗るような位置であり、これによって紙が前記フューザローラの上を通過する時に前記紙を前記フューザローラから引きはがす、前記複数のスカイブと、
前記ベースプレートの前記２つの側面の各々に装着された前方のラッチピンと後方のラッチピンと
を有する前記スカイブプレートと、
設置の間に前記スカイブが前記フューザローラに接触し前記フューザローラを破損することを防ぎながら、前記スカイブプレートを前記筐体内の動作可能な位置に導く、前記筐体上のガイドアセンブリと、
前記スカイブプレートが前記筐体内の動作可能な位置にある時に、前記前方のラッチピンと前記の後方のラッチピンを前記筐体に解放可能にラッチする、前記筐体上のラッチ機構と
を備えたフューザ部。
【請求項２】
前記ラッチ機構は、
前記筐体の前記２つの側面の各々で、前記スカイブプレートの前記前方のラッチピンをそれぞれ受けるように構成された前方の解放可能なラッチと、
前記筐体の前記２つの側面の各々で、前記前方の解放可能なラッチのそれぞれから間隔を開けた位置に置かれ、前記スカイブプレートの前記後方のラッチピンをそれぞれ受けるように構成された後方の解放可能なラッチとを具備する請求項１に記載のフューザ部。
【請求項３】
前記前方の解放可能なラッチは、
前記スカイブプレートが前記筐体内の動作可能な位置にある時、前記スカイブプレート上の前記前方のラッチピンを受けるように構成されたくぼみを上端に近い所に有する、前記筐体上に枢動可能に装着された第１のアームと、
前記第１のアームをラッチされた位置に向けてノーマルバイアスするばねとを具備し、
前記後方の解放可能なラッチは、
前記スカイブプレートが前記筐体内の動作可能な位置にある時、前記スカイブプレート上の前記後方のラッチピンを受けるように構成されたくぼみを有する、前記筐体内に枢動可能に装着された第２のアームと、
前記第２のアームをラッチされた位置に向けてノーマルバイアスするばねとを具備する請求項２に記載のフューザ部。
【請求項４】
前記ガイドアセンブリは、
前記フューザローラに隣接し、前記筐体の前記２つの側面の各々の上に位置する前方のガイド要素であって、前記スカイブプレートが設置される時、前記前方のラッチピンを前記フューザローラに向かって下向きに導くように構成されたトラックを有する前方のガイド要素と、
前記筐体内の前記２つの側面の各々の上に位置し、前記前方のガイド要素のそれぞれから間隔を開けた位置にある後方のガイド要素とを具備する請求項３に記載のフューザ部。
【請求項５】
前記前方の要素内の前記トラックは垂直に対して鋭角の傾きに傾いている請求項４に記載のフェザー部。
【請求項６】
前記角度は約４５°である請求項５に記載のフューザ部。
【請求項７】
前記フューザローラの下流で前記フューザローラに隣接した位置で、前記筐体の中にある冷却グリルを含む請求項５に記載のフューザ部であって、
前記スカイブプレートは前記ベースプレートの前記後部の一部に渡ってくぼみを有し、前記くぼみは前記スカイブプレートが前記筐体内で動作可能な位置にある時に前記冷却グリルの上に乗るように構成され、これによって、前記冷却グリルからの空気が前記ベースプレートを通じて流れ、紙が前記ベースプレート上を通過する時に前記紙を冷却することが可能である請求項５に記載のフューザ部。
【請求項８】
電子写真装置のフューザ部内のローラから紙をはがすスカイブプレートであって、前記スカイブプレートは、
前面、後面、および２つの側面を有するベースプレートと、
前記ベースプレートの前記前面に渡って間隔を開けて装着された複数のスカイブであって、前記スカイブプレートが前記フューザ部の動作可能な位置にある時に前記ローラの上に乗る位置にある、前記複数のスカイブと、
前記ベースプレートの前記２つの側面の各々の上に装着されそこから伸びる前方のラッチピンであって、前記フューザ部の前方のラッチ移動止めによってそれぞれ受け止められるように構成された、前記前方のラッチピンと、
前記ベースプレートの前記２つの側面の各々の上に装着されそこから伸びる後方のラッチピンであって、前記前方のラッチピンから間隔を開けた位置にあり、前記フューザ部の後方のラッチ移動止めによってそれぞれ受けられるように構成された後方のラッチピンと、
前記ベースプレートの前記後部の一部に渡って伸び、前記スカイブプレートが前記筐体内で動作可能な位置にある時に冷却グリル上に乗るように構成されたくぼみと
を備えたスカイブプレート。
【請求項９】
前記ベースプレートの前記前面の下面から下向きに伸びるタブであって、前記フューザ部内のデカーラローラと係合し、設置の間前記スカイブが前記フューザローラと接触することを防ぐように構成されたタブを含む請求項８に記載のスカイブプレート。
【請求項１０】
スカイブプレートを電子写真装置のフューザ部の中に設置する方法であって、前記フューザ部は中に装着されたフューザローラを有し、前記スカイブプレートはその上に複数のスカイブおよび、前方のラッチピンと後方のラッチピンとを有し、前記方法は、
前方のラッチピンをフューザ部上に備えられたそれぞれのガイドトラック内に置くことと、
前記スカイブプレートを比較的水平な位置に維持しながら、前記スカイブプレートを前記フューザローラに向かって順方向に動かし、前記前方のラッチピンを前記ガイドトラック内で順方向で下向きに動かし、これによって、前記プレートが前記フューザ部内の動作可能な位置に向かって動いている時に前記スカイブが前記フューザローラに触れないように（ｃｌｅａｒ ｏｆ）維持することと、
前記前方のラッチピンをラッチさせる前に、前記後方のラッチピンを前記フューザ部の中の前記スカイブプレート上にラッチさせることと、
前記後方のラッチピンを前記フューザ部の前記スカイブプレート上にラッチさせ、これによって、前記スカイブを前記フューザローラの上に乗せ前記スカイブプレートを前記フューザ部内に解放可能に支持させることと
を含む前記方法。
【請求項１１】
前記前方のラッチピンは約４５°の角度で前記ガイドトラック内を順方向で下向きに移動する請求項１０に記載の方法。
【請求項１２】
前記後方のラッチピンが前記フューザ部にラッチされるまで、前記スカイブは前記フューザローラに接触しないままである請求項１１に記載の方法。
【請求項１３】
前記スカイブプレートを前記フューザ部から除去することを含む請求項１２に記載の方法であって、前記スカイブプレートを前記フューザ部から除去することは、今度は（ｉｎ ｔｕｒｎ）、
前記前方のラッチピンのラッチを前記フューザ部から外し、前記スカイブを前記フューザローラから持ち上げて取り除くことと、
前記スカイブプレートを実質的に水平な位置に維持しながら前記後方のラッチピンのラッチを前記フューザ部から外し、前記スカイブプレートを上に動かし、前記スカイブプレートを前記フューザ部から除去することと
を含む前記方法。
【発明の詳細な説明】
【０００１】
【発明の属する技術分野】
本発明は、電子写真コピー／プリンタ装置のフューザ部の中の下のスカイブプレート（ｓｋｉｖｅ ｐｌａｔｅ）を設置することに関し、本発明の１態様は、電子写真装置のフューザ部の下のスカイブプレートを除去し取り替えるアセンブリであって、下のスカイブプレートを設置している間、スカイブプレートのブレードがフューザ部の圧力ローラに切り込んだり食い込んだりするのを防ぐアセンブリに関する。
【０００２】
【従来の技術】
典型的な電子写真マシンでは（コピー機、複写機、プリンタなど）、入力部から受信側媒体（たとえば紙）に画像を転写するために、一般的には光導電体フィルムの連続的なループが使用されている。フィルムはまず帯電し、ついで入力部を通過し、ここで画像（アナログまたはデジタル）が帯電したフィルム上に投射される。ついでフィルムは現像部を通過し、ここで帯電した画像にトナーが付着し、ついで画像転写部に移動し、ここで画像は紙または他の媒体に転写される。紙は続いてフューザ部（ｆｕｓｅｒ ｓｅｃｔｉｏｎ）を通過し、ここで画像を形成するトナーが高い温度と圧力によって紙に定着させられる。画像の定着は、典型的には紙を、フューザ部の中にある２つの相対するローラ、すなわち圧力ローラとフューザローラの間を通過させることによって達成され、このローラの片方は加熱されている。
【０００３】
上記のようなフューザ部では、圧力ローラとフューザローラの間のニップは非常に狭い。紙がこのギャップの間を連続的に通過し、ローラの１つにくっつかないようにするために、通常は「スカイブプレート」（すなわち、上のスカイブプレートと下のスカイブプレート）が備えられ、トナーが紙にフューズされた後、紙をローラからはがす（すなわちそれぞれフューザローラと圧力ローラ）。各プレートは、それぞれのローラに効果的に乗る、複数の薄い、非常に鋭い「スカイブ」（すなわちブレード）を担持する（たとえば０．００４インチの厚さ）。これらのプレートはローラの近くで正しい位置と角度で正確に装着され、ローラ内に食い込まない、適切なはがす力を提供する。当技術分野では知られているように、電子写真マシンが組み立てられ稼働している間、スカイブプレートはしばしば除去され再び設置される。この動作の間、鋭いスカイブがローラに食い込まないようにスカイブプレートを導かなければならない。
【０００４】
【発明が解決しようとする課題】
この種の知られた従来技術のマシンでは、このようなスカイブプレートの設置はサービス技術者にいくつかの課題を提供している。第１に、スカイブプレートが除去／設置されている間に、スカイブがローラに触れ、可能性としては破損させることを防ぐものがフューザ部にはなにもない。さらに、スカイブプレートを除去／設置する間に従うべき「絶対確実な（ｆｏｏｌ−ｐｒｏｏｆ）」手順がない。すなわち、下のスカイブプレートは１つの簡単な出し入れの動きでは設置されず、最終的な動作可能な位置に安定する前に、手による調整がいくらか必要である。優秀な技術者を訓練して、スカイブとローラの間の接触を防ぐために必要な動きに従わせることができるが、この種の動作には人間によるエラーの可能性が常に存在する。
【０００５】
さらに、紙がローラから出てきた時に紙を冷却するために使用される冷却グリルは、この種の関連技術のマシンにおける下のスカイブプレートの不可欠な部分であり、下のスカイブプレートの下面に大きな摩擦力を加えるガスケットによって冷却空気ダクトに結合されている。ガスケットと摩擦しながら接触しているので、下のスカイブプレートを動作可能な位置にスムーズにスライドさせて出し入れするのが難しくなっている。
【０００６】
したがって、当業者であれば、電子写真マシンのフューザ部内のスカイブプレートの設置を簡単にし、このような設置を効果的に「絶対確実」にして、設置の間、偶然圧力ローラとフューザローラに食い込むことを防ぐ必要性を認識するであろう。さらに、この絶対確実な除去／設置手順は、特別な道具がなくても訓練を受けた技術者であれば実行できる手順であるべきである。
【０００７】
【課題を解決するための手段】
本発明は、下のスカイブプレートが、偶然フューザローラを破損する危険なく、フューザ部の中に簡単、迅速に設置でき、またそこから除去できる下のスカイブプレートを含む電子写真装置用のフューザ部と、スカイブプレートをフューザ部に設置する方法を提供する。下のスカイブプレートは複数のスカイブ（すなわち鋭いブレード状の要素）をその上に有し、これらの複数のスカイブはフューザ部内のフューザローラに乗り、紙がフューザローラを通過する時に紙をはがすように設計されている。また、スカイブプレートは各々の側面に前部ラッチピンと後部ラッチピンとを有する。
【０００８】
スカイブプレートを設置するために、プレートは、フューザ部の筐体内で、プレートが実質的に水平な位置でフューザローラの上になるような位置にある。前方のラッチピンは、フューザ部上のガイドアセンブリのそれぞれのガイドトラックの中に入れられる。次に、プレートを比較的水平な位置に保ちながら、スカイブプレートをフューザローラに向かって順方向に下向きに動かす（好ましくは約４５°の角度）。この位置によって、プレートが設置されている時、スカイブがフューザローラに接触しないことが保たれる。
【０００９】
スカイブプレート上のスカイブがフューザローラに近づくと、スカイブプレート上の後方のラッチピンは、解放可能な、ばねでバイアスされた後方の移動止め（ｄｅｔｅｎｔｓ）によってフューザ部にラッチされる。プレートを設置している技術者がうっかりプレートの前部を接触させ、鋭いスカイブがフューザローラに接触して深刻に破損させないために前方のラッチピンがラッチされる前に、後方のピンがフューザ部にラッチされることが重要である。スカイブプレートの前面はついで残りの短い距離を下に移動し、前方のラッチピンを、筐体内の解放可能なばねでバイアスされた前方の移動どめ内にラッチさせ、これによってスカイブはフューザローラの上に乗り、スカイブプレートは動作可能な位置でフューザ部に安定する。スカイブプレートを除去するには、この手順を逆にするだけでよい。スカイブプレートの前面を最初に外し持ち上げることによって、スカイブがフューザローラに食い込む危険性は除去される。
【００１０】
さらに、スカイブプレートの設置と除去を簡単にするために、本発明のフューザ部は筐体内のフューザローラの下流側に隣接して固定された冷却グリルを含む。本発明のスカイブプレートは後方の一部に渡ってくぼみを有し、このくぼみはスカイブプレートが筐体内の動作可能な位置にある時に冷却グリル上に乗るように構成され、これによって、冷却グリルからの空気がスカイブプレート内を流れ、紙がスカイブプレートを通過する時に紙を冷却することができる。これによって、スカイブプレートの一部に穴を開ける必要性が除去され、このタイプの知られたフューザ部では必要であった冷却空気の源とプレートを摩擦させながら結合する必要性が除去される。
【００１１】
【発明の実施の形態】
本発明の実際の構成の動作および明らかな利点は、次の図面を参照することによってよりよく理解されるであろうが、図面は必ずしもスケール通りではなく、同様な数字は同様な部品を示している。
【００１２】
図１を簡単に参照すると、典型的な電子写真装置またはマシン１０（たとえばコピー機、複写機、プリンタ）は、閉じたループ全体で帯電ステーション１２を通過するエンドレスな光導電体部材１１（たとえば写真フィルム）、露光または入力ステーション１３、現像ステーション１４、転写ステーション１４、および消去／クリーニング部１６とを有するタイプの装置である。コピー媒体（たとえば紙Ｓ）は、サプライ（図示せず）から供給され転写ステーション１５を通過し、ここでフィルム１１上のトナー画像が紙Ｓに転写される。紙Ｓはついでフューザ部２０のフュージングローラ２１と圧力ローラ２２の間にフィードされ、トナー画像が紙Ｓに固定されてから、マシンから排出される。
【００１３】
図２は、図１に示された電子マシン１０内に見いだされるタイプの、典型的な関連技術のフューザ部２０ａの簡単な断面図である。図示されているように、フューザ部２０ａはフレームまたは筐体２５を備え、筐体２５の中に圧力ローラ２１とフューザローラ２２が回転可能に装着されている。上のスカイブプレート２６と下のスカイブプレート２７は複数のスカイブを担持し（番号を付けず）、複数のスカイブはそれぞれ、圧力ローラ２１とフューザローラ２２の上に効果的に乗るような位置になっている。これらのスカイブは薄いブレード（たとえば０．００４インチの厚さ）で、非常に鋭く、紙Ｓがローラの間を通過する時に各ローラから紙をはがすような設計になっている。
【００１４】
関連技術のフューザ部２０ａの下のスカイブプレート２７は、グリル状の穴の開いた部分２８を有し、紙Ｓが加熱したフューザローラ２２から排出される時に冷却空気がこの穴の開いた部分２８を介して流れ、紙Ｓを冷やす。グリル状の部分２８の下側は、スライドしガスケット３０と摩擦でフィットすることによって冷却空気供給ダクト２９に結合されている。下のプレート２７はプレートをローラ２１、２２の間のニップに向かって動かし、プレートの後部にあるスロットをピンから取り外してプレートを解放し、ついでガスケット３０の上の他の方向に引っぱることによって除去される。プレート２７は同じ方法で設置されるが、ステップは逆になる。
【００１５】
ガスケット３０とプレート２７の間は摩擦して接触しているため、下のスカイブプレートを除去および／または設置する間、プレート２７のスムーズで制御された動きを保つことは困難である。また、技術者は、鋭いスカイブがフューザローラ２２に接触しこれによってローラに深刻な被害を与える可能性（確率ではないが）が常にあるような方法でプレート２７を操作することが必要なので、この手順は危険が多い。本発明が目的とするのは、これらの危険性の除去である。
【００１６】
本発明に戻ると、図４は、明確に示すために一部の構成要素を取り除いた電子写真マシンの、本発明のフューザ部の部分を示す。示されているように、本発明のフューザ部２０は圧力ローラ２１とフューザローラ２２が回転のために装着されているフレーム３０を備える。冷却グリッド３１はローラ２１、２２から下流でフレーム３０に装着され、複数の開口部３２（明確にするため一部だけに番号が付けられている）を有して、紙がフューザローラ２１（加熱されている）と圧力ローラ２２の間のニップを通過した後に、紙（図示せず）の下側全体に冷却空気が渡るようにしている。冷却空気は入り口３３を介してグリッド３１に供給され、入り口３３はコンジット（図示せず）によって空気ソースに接続されている。
【００１７】
図４に示されるように、下のスカイブプレート３５は筐体３０の中にあり、この中に固定されている。下のスカイブプレート３５はいずれかの端にハンドル３７を有するベースプレート３６を備える。長いくぼみ３８がベースプレート３６の後部の一部に沿って備えられ、グリッド３１と並んでおり、下のスカイブプレートがラッチされた動作可能な位置にある時（図４）、加熱した紙がローラ２１、２２とスカイブプレート３５から排出される時に、紙に冷却空気が接触するようになっている。ベースプレート３６はまた長いスロット３９を有し、長いスロット３９は実質的にその幅に渡って伸び、下のスカイブプレートが動作可能な位置にある時にデカーラローラ４０（ｄｅｃｕｒｌｅｒ ｒｏｌｌｅｒ）（図４）を受け止めるように構成されている。
【００１８】
ベースプレート３６の前方の部分４２は鋭角で下向きの角度が付いており（たとえば約３５°）また、１つまたは複数の間隔を開けて配置されたスカイブ４１を担持する（図示されているのは７つである）。スカイブ４１は薄い（たとえば０．００４インチ）のブレード状の部材で非常に鋭く、フューザローラ２１から紙をはがし、紙がフューザローラ２１にくっつくのを防ぐように構成される。ベースプレート３５はいずれかの端に下向きに伸びる側面４３を有し、その各々は前方のピン４４と後方のピン４５を担持する（図３には片側だけが図示されている）。次に説明する目的のために、実質的に四角形の開口部４６が、ハンドル３７の各々内に備えられている。
【００１９】
下のスカイブプレート３５を、筐体３０内の正しい位置に解放可能に安定させる機構は図５、図６でもっともよく示されている。この機構は一対の前方の移動止め４８（筐体３０の各側に１つ）と、それに一致する一対の後方の移動止め４９とを備える。ラッチ機構の両側は基本的には他の鏡像となっているので、１つの側の構成要素だけを詳細に説明する。前方の移動止め４８は、上端近くにくぼみ４８ｃを有する枢動するアーム４８ｂを備え、後方の移動止め４９は、それぞればね４８ａ、４９ａによってラッチされた位置に向かってノーマルバイアス（ｎｏｒｍａｌｌｙ ｂｉａｓ、常時バイアス、規定のバイアス、標準バイアス、垂直バイアス）されている、上端の近くに複数の角度のくぼみ４９ｃを有する枢動するアーム４９ｂを備える。
【００２０】
筐体３０に固定され前方の移動止め４９に隣接しているのはガイドアセンブリ５０で、ガイドアセンブリ５０は前方のガイド要素５１と、間隔を開けて配置された後方のガイド要素５２とを備える。前方の要素５１は第１のガイド表面を有し（すなわちトラック５３を画定するスロット）、第１のガイド表面は正確な角度になっており（たとえば４５°）、スカイブプレートを設置する間、前方のラッチピン４４を前方の移動止め４８に導き、方向づける。前方のガイド要素５１はまた、次に説明する目的のために、第２の、角度の付いたガイド表面５３ａを有する。後方のガイド要素５２は上にガイド表面またはランプ５４を有して、次により完全に説明するように、ランプ５４は第２のガイド表面５３ａと協力する（ｃｏｏｐｅｒａｔｅ、協働する）。
【００２１】
下のスカイブプレート３５を設置する時、プレートがフューザローラ２２に触れ、鋭いスカイブ４１がローラと接触する危険がないようにすることが非常に重要である。こうした事態の発生を防ぐために、本発明では、設置の初期段階の間、デカーラローラ４０（図４）と接触するプレート３５の下側に角度の付いたタブ６０（図６）が備えられている。
【００２２】
下のスカイブプレート３５を筐体３０の中に設置するには、プレートは垂直ガイド５０の前方の要素５１の上に置かれ、順方向に動かされる。設置の間プレートを可能な限り水平に維持し、ローラをスカイブから保護することが望ましい。ハンドル３７の中の開口部４６は、それぞれの後方のガイド要素５２と並んでいるので、プレート３５は落下し、前方のピン４４は前方のガイド要素５１の中のトラック５３の上端に入り、これによってスカイブ４１の先を４５°の角度で下に向けてフューザローラ２１の上に導く。
【００２３】
ハンドルの前方のエッジが要素５１の第２のガイド表面５３ａに沿って乗っている間、ハンドル３７の開口部４６の内面は、それぞれの後方の要素５２の上のランプ５４に接触するので、技術者はプレートを設置している間、スカイブプレートの後部を低く、実質的にフレーム３０に平行に保つことが必要である。この時点で、プレート３５の後部が十分に低く、後方のピン４４を後方の移動止め４８で捕えてから前方のピン４５を移動止め４９の適切な場所にラッチさせることが重要である。ここでも、プレート３５とランプ５４とガイド表面５３ａの接触により、技術者が、プレート３５の後部を後方の移動止め４８に向けて下げてから、前方のピンを前方の移動止め４９で捕えることが必要である。
【００２４】
くぼみ４９ｃの角度の付いた下面はくぼみへのリードを提供するが、十分に平らで、静止したスロットの平面が係合するのとほとんど同じようにピン４５の上に係合し、これによってプレート３６の後部を偶然持ち上げたことによって移動止め４９のラッチが外れることを防ぐ。移動止め４９は比較的短いので、後方のピン４５はピンを拘束せず、設置動作の終わり近くにくぼみ４９ｃの中に下げることができる。後方のピン４５が後方の移動止め４９に安定してラッチされると、前方のピン４４が移動止め４８の中にラッチされ、スカイブプレート３５の設置が完了するまで、プレート３５の前面を続けて下げる。
【００２５】
下のスカイブプレート３５を除去するには、上記の手順を逆にする。プレート３５の前面を持ち上げ、ピン４４を前方の移動止め４８のくぼみ４８ｃから外し（ｃａｍ）、プレート３５の前面のラッチを筐体３０から外す。プレート３５はついでフューザローラ２１から後ろ向きに外される。プレート３５の前面のラッチが外され、ピン４４が前方の移動止め４８から持ち上げられてから、後部のピン４５のラッチを外すようにするために、くぼみ４９ｃの下側は、これを困難にする角度である。さらに、後部の移動止め４９の移動は、前部のピン４４のラッチが外され、プレート３５が後方に動かされるまで、移動止め４９がストップ６６（図６）に対して「底に付いている（ｂｏｔｔｏｍｅｄ−ｏｕｔ）」時、後部のピン４５がくぼみ４９ｃから外れないように限定されている。
【図面の簡単な説明】
【図１】
本発明を組み入れることのできる電子写真装置（たとえばコピー／プリンタマシン）の概念図である。
【図２】
関連技術のスカイブプレートが動作可能な位置に装着されていることを示す、図１の、線２−２におけるフューザ部の簡単な断面図である。
【図３】
本発明の下のスカイブプレートの斜視図である。
【図４】
図３の下のスカイブプレートが設置された、本発明のフューザ部の一部の斜視図である。
【図５】
図４のラッチアセンブリの１つの端の拡大斜視図で、部分的に取り除かれており、点線で示された下のスカイブプレートの最初の設置位置と最終的な設置位置を示す図である。
【図６】
図３の下のスカイブプレートがラッチされ動作可能な位置にある、本発明のラッチアセンブリを、部分的に取り除いて示した拡大断面図である。
【符号の説明】
２０　フューザ部
２１　圧力ローラ
２２　フューザローラ
３０　フレーム
３１　冷却グリッド
３２　開口部
３３　入り口
３５　下のスカイブプレート
３６　ベースプレート
３７　ハンドル
３８　くぼみ
３９　スロット
４０　デカーラローラ
４１　スカイブ
４２　前方の部分
４４　前方のピン
４５　後方のピン
４６　開口部
【国際公開パンフレット】
2004510205.tif 000003
2004510205.tif 000004
2004510205.tif 000005
2004510205.tif 000006
2004510205.tif 000007
2004510205.tif 000008
2004510205.tif 000009
2004510205.tif 000010
2004510205.tif 000011
2004510205.tif 000012
2004510205.tif 000013
2004510205.tif 000014
2004510205.tif 000015
2004510205.tif 000016
2004510205.tif 000017
2004510205.tif 000018
2004510205.tif 000019
【国際調査報告】
2004510205.tif 000020